(57)【特許請求の範囲】
【請求項１】
室内外を連通する開口に既に設けられた既設枠の内周側に設けられる改装枠を備えた改装サッシを有する改装サッシユニットであって、
前記既設枠の下部に位置する既設下枠と前記改装枠の下部に位置する改装下枠との間に介在される下接合部材を有し、
前記下接合部材は、見つけ方向において前記改装下枠より外側に延出されて前記既設下枠上に位置する延出部を有し、
前記延出部は、当該延出部の上下の空間を連通する連通部を有しており、
前記改装サッシの下側に浸入した水を、前記延出部から前記連通部を通して前記既設下枠に至らせて室外に排出することを特徴とする改装サッシユニット。
【請求項２】
請求項１に記載の改装サッシユニットであって、
前記改装下枠は、前記改装サッシの室内側に設けられた改装額縁の室外側の部位を覆っており、
前記改装額縁の下方に、当該改装額縁の室外側の縁より室内側に至るように突出して、前記水を前記延出部に案内する案内部を有することを特徴とする改装サッシユニット。
【請求項３】
請求項２に記載の改装サッシユニットであって、
前記案内部は、見つけ方向において前記改装下枠より外側にて前記延出部と連通することを特徴とする改装サッシユニット。
【請求項４】
請求項２または請求項３に記載の改装サッシユニットであって、
前記案内部の室内側に前記改装額縁を支持する額縁支持部を有していることを特徴とする改装サッシユニット。
【請求項５】
請求項１乃至請求項４のいずれかに記載の改装サッシユニットであって、
前記延出部の上には、前記既設枠の側方に位置する既設縦枠と前記改装枠の側方に位置する改装縦枠との間に介在される縦接合枠が設けられていることを特徴とする改装サッシユニット。
【発明の詳細な説明】
【技術分野】
【０００１】
本発明は、既設サッシが有する既設枠の内周側に設けられる改装サッシユニットに関する。
【背景技術】
【０００２】
改装サッシユニットとしては、例えば、建物の開口部に設けられた既設サッシが有する既設枠の内周側に屋内側取付部材及び屋外側取付部材を介して取り付けられる新設サッシが知られている（例えば、特許文献１参照）。
【先行技術文献】
【特許文献】
【０００３】
【特許文献１】特開２００９−２２１８１６号公報
【発明の概要】
【発明が解決しようとする課題】
【０００４】
上記のような新設サッシは、既設サッシと新設サッシとの間に複数の部材を介して取り付けられるため、構造が複雑であり、室内側にて発生する結露水を室外に排出する経路を確保するのが難しいという課題がある。
【０００５】
本発明は、かかる課題に鑑みてなされたものであり、その目的とするところは、既設枠の内周側に改装サッシが設けられる構造であっても、サッシの下側に浸入した水を効率良く室外に排出する排水経路を備えた改装サッシユニットを提供することにある。
【課題を解決するための手段】
【０００６】
かかる目的を達成するために本発明の改装サッシユニットは、室内外を連通する開口に既に設けられた既設枠の内周側に設けられる改装枠を備えた改装サッシを有する改装サッシユニットであって、前記既設枠の下部に位置する既設下枠と前記改装枠の下部に位置する改装下枠との間に介在される下接合部材を有し、前記下接合部材は、見つけ方向において前記改装下枠より外側に延出されて前記既設下枠上に位置する延出部を有し、前記延出部は、当該延出部の上下の空間を連通する連通部を有しており、前記改装サッシの下側に浸入した水を、前記延出部から前記連通部を通して前記既設下枠に至らせて室外に排出することを特徴とする改装サッシユニットである。
【０００７】
このような改装サッシユニットによれば、改装サッシの下側に浸入した、例えば結露水等を、見つけ方向において改装下枠より外側に延出された延出部を経由して既設下枠に至らせるので、改装枠を支持するために設けられている脚部や、既設枠に障子等を案内するために設けられているレール等を避けることなく、水の流れやすい排水経路を確保することが可能である。このとき、延出部に設けられ、延出部の上下の空間を連通する連通部を通して水を、既設下枠に至らせるので、延出部に至った水を連通部から容易に既設下枠に至らせることが可能である。さらに、既設下枠に至らせた水は、既設下枠に設けられている排水経路にて容易に室外に排出することが可能である。
【０００８】
かかる改装サッシユニットであって、前記改装下枠は、前記改装サッシの室内側に設けられた改装額縁の室外側の部位を覆っており、前記改装額縁の下方に、当該改装額縁の室外側の縁より室内側に至るように突出して、前記水を前記延出部に案内する案内部を有することが望ましい。  
例えば、結露水が多い場合には改装額縁上に水が溢れる虞があり、改装額縁上の水は改装下枠の隙間から内部に浸入する虞がある。上記改装サッシユニットによれば、改装額縁と改装下枠との隙間から内部に水が浸入した場合であっても、改装額縁の下方に設けられ、当該改装額縁の室外側の縁より室内側に至るように突出した案内部により、改装額縁の下側に浸入した水を確実に室外に排出することが可能である。
【０００９】
かかる改装サッシユニットであって、前記案内部は、見つけ方向において前記改装下枠より外側にて前記延出部と連通することが望ましい。  
このような改装サッシユニットによれば、案内部の水を、見つけ方向において改装下枠より外側にて延出部と連通する部位から延出部に至らせることが可能である。このため、改装下枠のレール等が水の経路に突出しないので、案内部に至った水を効率よく延出部に至らせることが可能である。
【００１０】
かかる改装サッシユニットであって、前記案内部の室内側に前記改装額縁を支持する額縁支持部を有していることが望ましい。  
このような改装サッシユニットによれば、案内部の室内側に改装額縁を支持する額縁支持部を有しているので、改装額縁と案内部とを適切な相対位置に配置しておくことが可能である。このため、改装額縁の室外側の縁から浸入する水を案内部に確実に至らしめることが可能である。また、案内部の室内側の部位が改装額縁の下側に当接されるので、改装額縁の室外側の縁から下方に伝わる水が改装額縁の下側を伝って室内側に戻ることを防止することが可能である。
【００１１】
かかる改装サッシユニットであって、前記延出部の上には、前記既設枠の側方に位置する既設縦枠と前記改装枠の側方に位置する改装縦枠との間に介在される縦接合枠が設けられていることが望ましい。  
このような改装サッシユニットによれば、水の排水経路となる延出部は、既設枠の側方に位置する既設縦枠と改装枠の側方に位置する改装縦枠との間に介在される縦接合枠の下に設けられるので、延出部を設けるためのスペースを別途設ける必要はないので、既設枠と改装枠との間隔を狭く抑えることが可能であり、また、外部に排水経路が露出することを防止することが可能である。
【発明の効果】
【００１２】
本発明によれば、既設枠の内周側に改装サッシが設けられる構造であっても、サッシの下側に浸入した水を効率良く室外に排出する排水経路を備えた改装サッシユニットを提供することが可能である。
【図面の簡単な説明】
【００１３】
【図１】本実施形態に係る改装サッシユニットを説明するための縦断面図である。
【図２】本実施形態に係る改装サッシユニットを説明するための左側の水平断面図である。
【図３】水の経路を説明するための斜視図である。
【図４】水が室外側に流れ込む部位を示す斜視図である。
【図５】水が室外側にて排出される部位を示す斜視図である。
【発明を実施するための形態】
【００１４】
以下、本発明の実施形態に係る改装サッシユニットについて図面を参照して説明する。
【００１５】
本実施形態の改装サッシユニット１は、例えば、新たに設けられる改装サッシ１０と、たとえば浴室内外を連通する開口２に設けられている既設サッシの既設枠５０の内周側に、接合部材及び固定部材を介して既設枠５０及び躯体３に取り付けられる改装サッシ１０である。
【００１６】
本実施形態では、図１、図２に示すように、室内外を連通する開口２に設けられた引き違いタイプの既設枠５０の内周側に設けられる改装サッシユニット１について説明する。
【００１７】
以下の説明においては、建物等に取り付けられた状態の既設枠５０及び改装サッシ１０を室内側から見たときに、上下となる方向を上下方向、左右となる方向を左右方向または見付け方向、室内外方向である奥行き方向を見込み方向として示す。また、改装サッシユニットが備える各部材は、単体として説明する場合であっても開口２に取り付けられた状態で上下方向、見付け方向、見込み方向等となる方向にて方向を特定して説明する。また、開口の上部に取り付けられる枠部材の下側、開口２の下部に取り付けられる枠部材の上側、開口２の左側に取り付けられる枠部材の右側、開口２の右側に取り付けられる枠部材の左側を、開口２及び枠部材の中央側又は内側として説明する。
【００１８】
以下の実施形態においては、建物に既に設けられている既存の既設枠５０と、既設枠５０を開口２の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００１９】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて開口２に設けられている。尚、既設上枠５１、既設下枠５２、及び、左右の既設縦枠５３は押出成形部材であり、左右の既設縦枠５３は、既設障子と係合する既設係合片５３ａの形状及び位置は異なるものの、互いにほぼ左右対称の形状をなしている。このため、以下の説明においては、左側の既設縦枠５３及び改装サッシユニット１の左側部分について説明し、右側部分については説明を省略する。
【００２０】
既設枠５０は、既設上枠５１が窓まぐさ３ａに、既設下枠５２が窓台３ｂに、左右の既設縦枠５３が柱（方立）３ｃにそれぞれ固定されている。
【００２１】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃと、既設額縁３０と対向する既設上額縁対向部５１ｄとを有している。既設内上レール５１ａ、既設外上レール５１ｂ、既設網戸上レール５１ｃ、既設上額縁対向部５１ｄは、上端側にて繋がっている。また、既設上枠５１は、上部に設けられ上方に向かって突出された固定フィン５１ｅにて窓まぐさ３ａに固定されている。
【００２２】
既設内上レール５１ａ、既設外上レール５１ｂ、既設網戸上レール５１ｃ、既設上額縁対向部５１ｄは、いずれも見付け方向の全域に渡って鉛直方向に垂設された板状の部位である。そして、室内側から既設上額縁対向部５１ｄ、既設内上レール５１ａ、既設外上レール５１ｂ、既設網戸上レール５１ｃの順で配置され、見込み方向に互いに間隔を隔てて対面するように設けられている。
【００２３】
既設下枠５２は、既設内障子（不図示）を案内するための既設内下レール５２ａと、既設外障子（不図示）を案内するための既設外下レール５２ｂと、既設網戸（不図示）を案内するための既設網戸下レール５２ｃと、既設額縁３０に当接される既設下額縁対向部５２ｄとが、見込み方向に互いに間隔を隔てて設けられている。既設内下レール５２ａ、既設外下レール５２ｂ、既設網戸下レール５２ｃ、既設下額縁対向部５２ｄは、いずれも上方に突出させて設けられた板状の部位である。既設下枠５２の既設内下レール５２ａ、既設外下レール５２ｂ、既設網戸レール５２ｃはいずれも見付け方向における両端側が切除され、既設サッシとして使用される際に既設下枠５２上に侵入した水を室外側に排出するための、既設サッシにおける排水経路をなしている。
【００２４】
既設下額縁対向部５２ｄは、見付け方向の全域に渡って設けられている。そして、室内側から既設下額縁対向部５２ｄ、既設内下レール５２ａ、既設外下レール５２ｂ、既設網戸下レール５２ｃ、の順で、見込み方向に互いに間隔を隔てて配置されている。また、既設下額縁対向部５２ｄ及び既設内下レール５２ａと、既設外下レール５２ｂと、既設網戸下レール５２ｃとは、室内側から室外側に向かって順次低くなるように階段状に形成されている。既設下枠５２は、室内側の部位が窓台３ｂ上に載置されるとともに下方に向かって突出された固定フィン５２ｅにて窓台３ｂに固定されている。
【００２５】
既設縦枠５３は、見込み方向に沿う平面でなる既設縦枠本体部５３ｂと、既設縦枠本体部５３ｂから開口２の中央側に突出され既設障子の既設戸先框が係合される既設係合片５３ａと、既設縦枠本体部５３ｂの室内側にて室内に臨む面を形成する室内縦壁部５３ｃと、既設枠５０の室外側にて配置され既設縦枠本体部５３ｂから開口２の中央側に突出され既設網戸の既設縦框に挿入される既設挿入片５３ｄと、既設挿入片５３ｄと見付け方向において反対側に既設縦枠本体部５３ｂから突出された固定フィン５３ｅと、を有している。
【００２６】
改装サッシユニット１は、新たに取り付けられる改装サッシ１０と、改装サッシ１０を取り付けるための上枠接合部材３５、下枠接合部材３６、縦接合枠としての縦枠接合部材３７と、上枠接合部材３５を既設枠５０に固定するための上枠接合部材固定金具４０、改装上枠２１を既設枠５１側に固定するための延出板部４４及び保持部材４７と、改装下枠２２を既設下枠５２側に固定するための下枠ブラケット３９、下連結部材４９及び下枠接合部材固定金具４１と、縦枠接合部材３７を柱３ｃに固定するための縦枠接合部材固定金具４２と、下側の改装額縁６０と既設下枠５２の間などから改装枠２０の下側に浸入した水を受けるための水受部材４８と、既設縦枠５３と改装縦枠２３とを室外側から覆う縦枠カバー部材４５と、を有している。ここで、下枠接合部材３６が下接合部材に相当する。
【００２７】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。改装上枠２１、改装下枠２２、及び、左右の改装縦枠２３は押出成形部材であり、左右の改装縦枠２３は改装障子１２ａ、１２ｂとの改装係合片２３ａを除いて互いに左右対称の形状をなしている。
【００２８】
改装上枠２１は、改装内障子１２ａを案内するための改装内上レール２１ａと、改装外障子１２ｂを案内するための改装外上レール２１ｂと、改装網戸１４を案内するための改装網戸上レール２１ｃとが、見込み方向に互いに間隔を隔てて設けられている。改装内上レール２１ａと、改装外上レール２１ｂと、改装網戸上レール２１ｃとは、改装上枠２１の見付け方向の全域に渡って鉛直方向に垂設されている。また、改装網戸上レール２１ｃは、改装上枠２１の最も室外側に設けられている。改装上枠２１の室内側の端部には、室内側に臨む室内側壁部２１ｄが設けられている。
【００２９】
また、改装上枠２１は、改装内上レール２１ａと改装外上レール２１ｂとの間にて分断されており、室外側の部位と室内側の部位とが断熱材２４を介して接合されて断熱性が確保されている。
【００３０】
改装下枠２２は、改装内障子１２ａを案内するための改装内下レール２２ａと、改装外障子１２ｂを案内するための改装外下レール２２ｂと、改装網戸１４を案内するための改装網戸下レール２２ｃとが、見込み方向に互いに間隔を隔てて設けられている。改装下枠２２の室内側の端部は、改装サッシ１０の室内側に設けられた改装額縁６０と対向する平面を有する額縁対向部２２ｄが設けられている。額縁対向部２２ｄの下端は、後述する下枠接合部材３６に当接され、下枠接合部材固定金具４１及び水受部材４８とともに皿ビス６５にて固定されている。
【００３１】
額縁対向部２２ｄと改装内下レール２２ａとを繋ぐ部位のほぼ中央には、下方に延出されて下枠接合部材固定金具４１に支持される室内側脚部２２ｅと、改装内下レール２２ａの下方に延出されて下枠接合部材３６に支持される中央脚部２２ｆと、改装外下レール２２ｂの下方に延出されて下枠接合部材３６に支持される室外側脚部２２ｇと、を有し、中央脚部２２ｆと室外側脚部２２ｇとが下端側にて連結された連結部２２ｈを有している。また、連結部２２ｈから室外側に、改装網戸下レール２２ｃとほぼ同じ位置まで延出された延出部２２ｉが形成され、延出部２２ｉの先端には、下枠接合部材３６と係合する下枠係合部２２ｋが設けられている。
【００３２】
改装縦枠２３は、見込み方向に沿う平面を有する改装縦枠本体部２３ｂと、改装縦枠本体部２３ｂから開口２の中央側に突出され改装障子１２ａ、１２ｂの改装戸先框１２ｃが係合される改装係合片２３ａと、改装縦枠本体部２３ｂの最も室内側に延出された改装縦枠延出部２３ｃと、改装枠２０の最も室外側に配置され改装縦枠本体部２３ｂから開口２の中央側に突出され改装網戸１４の改装縦框に挿入される改装挿入片２３ｄと、改装枠２０の最も室外側に配置され改装挿入片２３ｄと見付け方向において反対側に突出された縁部２３ｅと、を有している。ここで、改装縦枠延出部２３ｃは、後述する既設縦枠５３と改装縦枠２３とを接合する縦枠接合部材固定金具４２に当接される部位である。
【００３３】
上枠接合部材３５は、アルミニウム製の押し出し成形部材であり、既設上枠５１に固定された上枠接合部材固定金具４０を介して固定されている。
【００３４】
上枠接合部材固定金具４０は、既設内上レール５１ａ及び既設外上レール５１ｂの下縁に当接され、既設内上レール５１ａの室内側及び既設外上レール５１ｂの室外側に延び下面が平坦な２つのレール当接部４０ａと、２つのレール当接部４０ａ間を繋ぎ上方に窪んだ部位が水平面を有する連結部４０ｂと、を備えたアルミニウム製の押出成形部材である。上枠接合部材固定金具４０は、連結部４０ｂの水平面をなす水平板部４０ｃと２つの当接部４０ａとを繋ぐ部位が既設外上レール５１ｂにビス止めされて既設上枠５１に固定されている。
【００３５】
上枠接合部材３５は、既設上枠５１の下方を覆い改装上枠２１が固定される上枠固定板部３５ａと、上枠固定板部３５ａの室外側の端部側にて上方に突出する既設上枠当接部３５ｂと、上枠固定板部３５ａの室外側の縁から下方に突出する改装上枠当接部３５ｃとを有している。
【００３６】
上枠接合部材３５は、上面がほぼ平坦な板状をなす上枠固定板部３５ａが既設上枠５１に固定された上枠接合部材３５の水平板部４０ｃと対向するように配置され、上枠固定板部３５ａが水平板部４０ｃに下方からビスにて固定されている。このとき、上枠接合部材３５の既設上枠当接部３５ｂが既設上枠５１に室内側から当接される。
【００３７】
上枠接合部材３５の室内側の端部には、下面に当接させて平板状の延出板部４４が室内側に延出させて固定されており、延出板部４４には、断面がほぼＬ字状をなす保持部材４７が当接されて固定されている。保持部材４７は、室外側の縁部から下方に垂設された垂下板部４７ａを有しており、垂下板部４７ａに改装上枠２１の室内側壁部２１ｄをビスにて固定するとともに、改装外上レール２１ｂと改装網戸上レール２１ｃとの間にて下方から上枠固定板部３５ａとともにビスが螺合されて改装上枠２１が取り付けられている。
【００３８】
下枠接合部材３６は、アルミニウム製の押し出し成形部材であり、既設下枠５２に固定された下枠ブラケット３９と、下枠接合部材固定金具４１を介して既設下枠５２に固定されている。
【００３９】
下枠ブラケット３９は、既設下枠５２の既設外下レール５２ｂの室外側に当接されてビス止めされるレール固定部３９ａと、レール固定部３９ａがビス止めされた状態で既設網戸下レール５２ｃの室内側に配置される網戸レール室内壁部３９ｂとが上方で繋がったアルミニウム製の押出成形部材である。室外側固定部３６ｅは、レール固定部３９ａがビス止めされた下枠ブラケット３９の網戸レール室内壁部３９ｂとの間に既設網戸下レール５２ｃを挟み、室外側固定部３６ｅを貫通するビスが網戸レール室内壁部３９ｂに螺合されて固定されている。
【００４０】
下枠接合部材固定金具４１は、断面がほぼＬ字状をなす部材であり、平坦な面を有する下平板部４１ａと、下平板部４１ａが水平に配置された際に、下平板部４１ａの室外側に縁から垂設された垂設壁部４１ｂとを有している。下枠接合部材固定金具４１は、垂設壁部４１ｂが既設内下レール５２ａに対し室外側から当接されて室外側からビス止めされており、下平板部４１ａが既設下枠５２の既設下額縁対向部５２ｄに支持されて水平面をなしている。
【００４１】
下枠接合部材３６は、室内側にて鉛直面を形成する室内側鉛直壁部３６ａと、室内側鉛直壁部３６ａの上下方向におけるほぼ中央から室外側に延出され、改装下枠２２の室内側脚部２２ｅが載置される内脚部載置部３６ｂと、内脚部載置部３６ｂの室外側の縁から垂下された部位の下縁から室外側に延出された下室外側延出部３６ｃと、下室外側延出部３６ｃの室外側縁部に設けられ、改装下枠２２の下枠係合部２２ｋと係合する係合凹部３６ｄと、係合凹部３６ｄから下方に垂設され、既設網戸下レール５２ｃに下枠ブラケット３９を介して固定される室外側固定部３６ｅと、を有している。下枠接合部材３６は、改装下枠２２より見つけ方向の幅が大きく形成され、見つけ方向の両側に延出された延出部としての下接合部材延出部３６ｆを有している。また、見つけ方向において両側に延出された下接合部材延出部３６ｆには、見込み方向における中央より室外側に、下接合部材延出部３６ｆの上下の空間を連通する連通部３６ｇがそれぞれ設けられている。
【００４２】
下枠接合部材３６は、室内側鉛直壁部３６ａの下端と、下室外側延出部３６ｃの室内側の部位とが下平板部４１ａ上に載置されて、室外側固定部３６ｅが下枠ブラケット３９を介して既設外下レール５２ｂに固定されることにより、既設下枠５２側に固定されている。
【００４３】
改装下枠２２は、下枠係合部２２ｋが係合凹部３６ｄに係合されるとともに、中央脚部２２ｆと室外側脚部２２ｇとが下室外側延出部３６ｃ上に載置され、室内側脚部２２ｅが内脚部載置部３６ｂに載置されて、額縁対向部２２ｄがカバー部材６１とともに改装額縁６０にビス止めされて取り付けられている。
【００４４】
また、改装下枠２２の室内側には、下平板部４１ａの室内側の部位と、額縁対向部２２ｄの下部及び室内側鉛直壁部３６ａの上部とを連結する下連結部材４９と、下連結部材４９と共に額縁対向部２２ｄの下部及び室内側鉛直壁部３６ａの上部にビス止めされる水受部材４８とが設けられている。
【００４５】
下連結部材４９は、下平板部４１ａの室内側の部位の上面に当接されてビス止めされる上面固定部４９ａと、水受部材４８の固定壁部４８ａに当接されてビス止めされる鉛直固定部４９ｂとを有している。
【００４６】
水受部材４８は、額縁対向部２２ｄ、室内側鉛直壁部３６ａ、鉛直固定部４９ｂとともにビス止めされる固定壁部４８ａと、固定壁部４８ａがビス止めされた状態にて室内側鉛直壁部３６ａの上縁と同じ高さにてほぼ水平に室内側に向かって延出された平面部４８ｂと、平面部４８ｂの室内側の縁部から室内側に向かって高くなる傾斜を備えた傾斜部４８ｃと、傾斜部４８ｃの室内側の縁から上方に立設された水受壁部４８ｄと、水受壁部４８ｄの室内側の縁からほぼ水平な面を形成し、改装額縁を支持する額縁支持部４８ｅとを有している。ここで、平面部４８ｂと傾斜部４８ｃと水受壁部４８ｄとが案内部に相当する。このため、本実施形態においては、水受部材４８が案内部を有している。
【００４７】
水受部材４８は、図３に示すように、改装下枠２２より見つけ方向の幅が大きく形成されており、見つけ方向の両側に延出された下接合部材延出部３６ｆを有する下枠接合部材３６と同じ幅を有している。このため、額縁対向部２２ｄ、室内側鉛直壁部３６ａ、鉛直固定部４９ｂ、固定壁部４８ａがビス止めされると、ほぼ同じ幅を有する水受部材４８と下枠接合部材３６とが、改装下枠２２の、見つけ方向における両側に突出する。また、水受部材４８と下枠接合部材３６との両側に延出された部位は、既設下枠５２の見つけ方向の幅より狭いため、既設下枠５２上に位置している。また、見つけ方向における両側に突出した水受部材４８と下枠接合部材３６の端部には、図４に示すよう、端部を塞ぐためのキャップ４６がビス止めされている。
【００４８】
そして、見つけ方向において改装下枠２２が存在する範囲では、水受部材４８の平面部４８ｂと、傾斜部４８ｃと、水受壁部４８ｄとは、改装下枠２２の額縁対向部２２ｄ及び改装額縁６０とともに、見つけ方向に連通する中空部１０ａをなしており、額縁対向部２２ｄが途切れた両端側は、平面部４８ｂと、傾斜部４８ｃと、水受壁部４８ｄと、改装額縁６０とで囲まれた中空部１０ａと、下枠接合部材３６の上方の空間とが、連通されている。このとき、平面部４８ｂと、傾斜部４８ｃと、水受壁部４８ｄと、改装下枠２２の額縁対向部２２ｄ及び改装額縁６０とにて囲まれた中空部１０ａ内の上部、及び、平面部４８ｂと、傾斜部４８ｃと、水受壁部４８ｄと、改装額縁６０とで囲まれた空間内の上部には、改装額縁６０の室外側の縁６０ａが位置しており、改装額縁６０の表面に沿って水が浸入した場合には、浸入した水が水受部材４８上に至るように構成されている。このため、改装額縁６０の表面に沿って水が浸入した水は、まず、平面部４８ｂと、傾斜部４８ｃと、水受壁部４８ｄと、改装下枠２２の額縁対向部２２ｄ及び改装額縁６０とにて囲まれた中空部１０ａ内に溜まり、中空部内の両端側となる、水受部材４８の両端部側から下枠接合部材３６上である下接合部材延出部３６ｆ上に流れ、下接合部材延出部３６ｆに設けられた連通部３６ｇを通って既設下枠５２上に至る。既設下枠５２上に至った水は、図３に示すように、既設下枠５２の両端部側にて、既設内下レール５２ａ、既設外下レール５２ｂ、既設網戸レール５２ｃが切除された部位を排水経路とし、図５に示すように室外側固定部３６ｅの脇から室外に排出される。
【００４９】
既設縦枠５３と改装縦枠２３との間に介在される縦枠接合部材３７は、アルミニウム製の押し出し成形部材であり、室外側にて改装縦枠２３に係合され、室内側では、既設縦枠５３に固定される既設縦枠ブラケット４２ａと、改装縦枠２３に固定される改装縦枠ブラケット４２ｃとが接合された縦枠接合部材固定金具４２とともに改装縦枠２３に固定されている。
【００５０】
左の縦枠接合部材３７は、水平断面形状が見込み方向に長いほぼ長方形状をなす中空部３７ａを有し、長方形状をなす中空部３７ａの室外側の面をなす室外縦壁部３７ｂは、右側、すなわち開口２の中央側に延出されて、改装縦枠２３の縁部２３ｅと係合する係合部３７ｃが形成されている。また、長方形状をなす中空部３７ａの室内側の面をなす室内縦壁部３７ｄも右側、すなわち開口２の中央側に延出されており、延出された先端が改装縦枠２３が有する改装縦枠本体部２３ｂの左側面に当接されるとともに、改装縦枠ブラケット４２ｃ及び改装縦枠延出部２３ｃとビス止めされる改装縦枠側延出部３７ｅをなしている。
【００５１】
既設縦枠ブラケット４２ａは、既設縦枠本体部５３ｂの改装縦枠２３側の面にビス止めされ、室内縦壁部５３ｃ避けて既設縦枠５３、改装縦枠２３及び縦枠接合部材３７より室内側に延出されている。既設縦枠ブラケット４２ａの室内側に延出されている部位４２ｂは、縦枠接合部材３７の長方形状をなす中空部３７ａの見込み方向に沿う面と平行に配置されて縦枠接合部材３７より既設縦枠５３側に配置されている。改装縦枠ブラケット４２ｃは、改装縦枠延出部２３ｃの室内側に臨む面にビス止めされ、既設縦枠５３、改装縦枠２３及び縦枠接合部材３７より室内側に延出されて既設縦枠ブラケット４２ａの室内側に延出されている部位４２ｂとビスにて接合されている。
【００５２】
縦枠接合部材３７は、既設縦枠５３及び改装縦枠２３に固定されると、見つけ方向の両側に延出された下接合部材延出部３６ｆ上を覆うように配置される。すなわち、下接合部材延出部３６ｆの左側の縁部に設けられた水密材（不図示）が、縦枠接合部材３７が有する中空部３７ａの左側の壁部の下縁に当接されるように配置される。また、本実施形態の改装下枠２２は、見込み方向における端部が改装縦枠２３の内周側面に当接されて枠組みされているので、下枠接合部材３６の、見込み方向において改装縦枠２３の改装縦枠本体部２３ｂより外側が下接合部材延出部３６ｆとなる。このため、見付け方向において改装縦枠本体部２３ｂと縦枠接合部材３７とに挟まれた空間及び縦枠接合部材３７の中空部３７ａを流れる水も下接合部材延出部３６ｆに至らせて室外に排出される。図２では連通部３６ｇが、縦枠接合部材３７の中空部３７ａの下のみに設けられているが、見付け方向において改装縦枠本体部２３ｂと縦枠接合部材３７とに挟まれた空間の下まで延びていても良い。
【００５３】
本実施形態の改装サッシユニット１によれば、改装サッシ１０の下側に浸入した、例えば結露水等を、見つけ方向において改装下枠２２より外側に延出された下接合部材延出部３６ｆを経由して既設下枠５２に至らせるので、改装枠２０を支持するために設けられている室内側脚部２２ｅ、中央脚部２２ｆ、室外側脚部２２ｇや、既設枠５０に設けられている既設内下レール５２ａ、既設外下レール５２ｂ、既設網戸下レール５２ｃ等を避けることなく、水の流れやすい排水経路を確保することが可能である。このとき、下接合部材延出部３６ｆに設けられ、下接合部材延出部３６ｆの上下の空間を連通する連通部３６ｇを通して水を、既設下枠５２に至らせるので、下接合部材延出部３６ｆに至った水を連通部３６ｇから容易に既設下枠５２に至らせることが可能である。また、既設下枠５２は既に取り付けられている既設サッシの下枠なので、既設下枠５２に至らせた水を、既設下枠５２に設けられている排水経路から容易に室外に排出することが可能である。
【００５４】
また、例えば、結露水が多い場合には改装額縁６０上に水が溢れる虞があり、改装額縁６０上の水は改装下枠２２との間のシールが切れた場合には、改装額縁６０と改装下枠２２との隙間から改装サッシ１０の下側に浸入する虞がある。本実施形態の改装サッシユニット１によれば、改装額縁６０と改装下枠２２との隙間から改装サッシ１０の下側に水が浸入した場合であっても、改装額縁６０の下方に設けられ、当該改装額縁６０の室外側の縁６０ａより室内側に至るように突出した水受部材４８により、改装額縁６０の下側に浸入した水を確実に室外に排出することが可能である。
【００５５】
また、水受部材４８は、見つけ方向において改装下枠２２より外側にて下接合部材延出部３６ｆと連通しているので、水受部材４８に至った水を、見つけ方向において改装下枠２２より外側にて下接合部材延出部３６ｆに至らせることが可能である。このため、改装下枠２２の改装内下レール２２ａ、改装外下レール２２ｂ等が水の経路に突出しないので、水受部材４８に至った水を効率よく下接合部材延出部３６ｆに至らせることが可能である。
【００５６】
また、水受部材４８の室内側に改装額縁６０を支持する額縁支持部４８ｅを有しているので、改装額縁６０と水受部材４８とを正確に配置することが可能である。このため、改装額縁６０の室外側の縁６０ａから浸入する水を確実に水受部材４８に至らしめることが可能である。さらに、改装額縁６０が額縁支持部４８ｅに支持されているので、改装額縁６０の強度を高めることが可能である。特に、本実施形態のような見込み方向の幅が広い改装額縁６０には、障子の開閉時に使用者が手を着いたり、置物を置くなどして荷重がかかる場合があるが、このような場合であっても、改装額縁６０が水受部材４８の額縁支持部４８ｅに支持されているので十分な強度を備えることが可能である。
【００５７】
また、水受部材４８の室内側の部位である額縁支持部４８ｅが改装額縁６０の下側に当接されるので、改装額縁６０の室外側の縁６０ａから下方に伝わる水が改装額縁６０の下側を伝って室内側に戻ることを防止することが可能である。
【００５８】
また、水の排水経路となる下接合部材延出部３６ｆは、既設枠５０の側方に位置する既設縦枠５３と改装枠２０の側方に位置する改装縦枠２３との間に介在される縦枠接合部材３７の下に設けられるので、下接合部材延出部３６ｆを設けるためのスペースを別途設ける必要はないので、既設縦枠５３と改装縦枠２３との間隔を狭く抑えることが可能であり、また、下接合部材延出部３６ｆは改装縦枠２３と縦枠接合部材３７とによって隠されるので外部に排水経路が露出することを防止することが可能である。
【００５９】
本実施形態においては、水受部材４８を下枠接合部材３６と別体に形成した例について説明したが、水受部材４８の固定壁部４８ａと下枠接合部材３６の室内側鉛直壁部３６ａとを同一の部位として一体化しても構わない。
【００６０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６１】
１  改装サッシユニット、２  開口、１０  改装サッシ、
２０  改装枠、２２  改装下枠、２３  改装縦枠、
３６  下枠接合部材、３６ｆ  下接合部材延出部、３６ｇ  連通部、
３７  縦枠接合部材、４０  水受部材、４８ｂ  平面部、
４８ｃ  傾斜部、４８ｄ  水受壁部、４８ｅ  額縁支持部、
５０  既設枠、５２  既設下枠、６０  改装額縁、６０ａ  室外側の縁
【図１】
0005545746.tif 000002
【図２】
0005545746.tif 000003
【図３】
0005545746.tif 000004
【図４】
0005545746.tif 000005
【図５】
0005545746.tif 000006